(57)【要約】  本発明は、相互に離れた位置にあるそれぞれの回転軸（29、30）を有するハートカム（20、21）と相互作用させて用いられる時計のムーブメントのリセットハンマー（１）に関する。より正確には、このハートカム（20、21）はクロノグラフタイマーに接続され、前記リセットハンマーはクロノグラフタイマーのリセット機構に属する。本発明のリセットハンマー（１）は、時計の地板（２）に可動に取り付けられる少なくとも１つの第一部分（５）と、前記ハートカム（20、21）と接触することのできる支持面（18、19）を有する１つの第二部分（17）とを有する。リセットハンマー（１）のこの２つの部分（５、17）は、リセットの過程で前記２つの支持面（18、19）のそれぞれの位置の調節を可能にする少なくとも１つの回動するタイプの接続部（14、24）によって、相互に接続されている。この特別な特長によって、リセットハンマー（１）の構造的な設計は単純で小型になっている。【選択図】          図１
2009517645.tif 000002
【特許請求の範囲】
【請求項１】
相互に離れた位置にあるそれぞれの回転軸（29、30）を有する少なくとも第一のハートカム（20）及び第二のハートカム（21）と協働するように設計された時計のムーブメントのリセットハンマー（１）であって、該リセットハンマーが、少なくとも２つの部分を有し、その第一部分（５）は前記ムーブメントに対して可動であるように該ムーブメントに取り付けられ、その第二部分（17）は、前記第一のハートカム及び第二のハートカムとそれぞれ協働する少なくとも２つの支持面（18、19）を有し、前記リセットハンマーの第一部分（５）及び第二部分（17）は、一方に対して他方の動きが制限されるように相互に接続されているリセットハンマーにおいて、玉継手を介して、前記第一部分（５）の少なくとも１つの第一構造部分（14、24）が前記第二部分（17）の第一構造部分（24、14）に接続され、該玉継手が前記２つの部分（５、17）の内の一方に設けられる、円盤形の部分（16）を有する突出部（14）と、前記２つの部分（５、17）の内の他方に設けられる、前記突出部（14）の形状と実質的に相補的な形状の凹陥部（24）とによって形成されることを特徴とするリセットハンマー。
【請求項２】
前記玉継手（14、24）が、リセットハンマー（１）の前記第二部分（17）の長手方向に沿って配置される前記２つの支持面（18、19）の間に設けられることを特徴とする、請求項１に記載のリセットハンマー。
【請求項３】
前記２つの支持面の内の一方の支持面（19）がリセットハンマー（１）の前記第二部分（17）の第一端部の位置に配設されることを特徴とする、請求項１又は２に記載のリセットハンマー。
【請求項４】
リセットハンマー（１）の前記２つの部分の内の一方の部分（５）が少なくとも１つの保持リップ（10、11）を有し、該保持リップは、前記玉継手（14、24）から離れた位置に形成されて前記第一部分（５）の内側に向かう凹部（12）を形成し、リセットハンマーの前記２つの部分の内の他方の部分（17）が該凹部（12）と係合する舌形端部（22）を有することを特徴とする、請求項１〜３のいずれか一項に記載のリセットハンマー。
【請求項５】
前記舌形端部（22）が、前記凹部（12）の形状と実質的に相補的な形状を有することを特徴とする、請求項４に記載のリセットハンマー。
【請求項６】
前記舌形端部（22）が、リセットハンマーの前記第二部分（17）のほぼ第二端部の位置に設けられることを特徴とする、請求項４又は５に記載のリセットハンマー。
【請求項７】
リセットハンマー（１）の前記第一部分（５）と第二部分（17）とが、前記第二部分（17）の長手方向に沿って前記２つの支持面（18、19）の間に位置する領域（35、36）をそれぞれ有しており、この第三の２つの領域（35、36）は互いに相補的な形状をしており、相互にほぼ当接させて設けられることを特徴とする、先行する請求項のいずれか一項に記載のリセットハンマー。
【請求項８】
先行する請求項のいずれか一項に記載のリセットハンマー（１）を有することを特徴とする時計のムーブメント。
【発明の詳細な説明】
【技術分野】
【０００１】
本発明は、相互に離れた位置にあるそれぞれの回転軸を有するムーブメントの少なくとも第一のハートカム及び第二のハートカムと協働するように設計された時計のムーブメントのリセットハンマーに関する。このリセットハンマーは、特に、少なくとも２つの部分を有し、その第一部分はムーブメントに対して可動であるようにムーブメントに取り付けられている。リセットハンマーの第二部分は少なくとも２つの支持面を有し、前記第一のハートカム及び第二のハートカムとそれぞれ協働するようになっている。前記リセットハンマーの第一部分及び第二部分は相互に接続され、一方に対して他方の動きが制限されるようになっている。
【０００２】
通常、この型のリセットハンマーはクロノグラフムーブメントにおいて計測された時間を表示する媒体をゼロに戻す。一般に、リセットハンマーの第一部分は、そのリセット機能を実行するためにリセットハンマーが軸支回動するのを可能にする段付き螺子によってムーブメントの地板に取り付けられている。実際、その機構においては、クロノグラフ可動部材と連結されており、また、それ自身が計測された時間を表示する媒体を備えている１つ又は複数のハートカムを、クロノグラフムーブメントが有している。これらのハートカムは、時計のケース外側に設けられたリセット部材の作動に応答し、バネの力によって、回転動又は並進動を行うことのできるリセットハンマーによる打撃を受けるようになっている。この目的のために、リセットハンマーは、対応するハートカムの周縁部とそれぞれ接触してハートカムを回動させ、計測された時間を表示する媒体がそれら各々の初期位置に戻った時にハートカムを所定の位置に維持するように設計された支持面を有している。表示媒体が高度な正確さをもって、しかも同時にそれらの初期位置に戻るように、これらの支持面が、相互に、そして対応するハートカムとの関係において正確に配置されていることが非常に重要である。この結果を達成するために、折に触れて、リセットハンマーを調節又は校正することが必要である。
【背景技術】
【０００３】
前記要求に応えるために、様々な解決法、特に、複数の部品を有し、それらの部品の相対的な位置又は向きを、例えば、複数の偏心機構を用いて調節することのできるリセットハンマー構造体が提案されてきている。
【０００４】
より具体的には、前記定義に合致するリセットハンマーを備えたクロノグラフムーブメントは、従来技術において既に記載されている。
【０００５】
実際、米国特許第3,643,422号（エボーシェ  ベットラーハ  エスアー（EBAUCHES BETTLACH SA））は、２つの主要部分を有し、一方の部分に対する他方の部分の動きが制限されるように相互に接続されたリセットハンマーを有するクロノグラフムーブメントを記載している。このリセットハンマーの第一の部分、即ち、本体部は、ムーブメントの地板に回転可能に取り付けられ、第二の部分、即ち、レバーは、ムーブメントの２つのハートカムと協働するように設計された２つのボスを有している。
【０００６】
前記２つのハートカムと２つのボスとの接続という観点から、リセットハンマーのレバーの縁端部の１つに略三角形の突起を設けることが計画され、該略三角形の突起の頂点はリセットハンマー本体部の縁端部に当接して、本体部に対するレバーの軸支回動点を定める。リセットハンマーのレバーは、また、リセットハンマー本体部の２つのつまみ部の間に嵌合されている。この２つのつまみ部はレバーの両端部の側方に設けられており、該レバーがその長さ方向に動くのを防ぐ。さらに、これらのつまみ部の各々は嵌合用の縁を有しており、これらの縁によってリセットハンマーのレバーが本体部と連結されている。しかしながら、この米国特許に提案されている解決方法には、リセットハンマーの比較的嵩高い部分であるリセットハンマー本体部にレバーを接触させておくための手段を、レバーの支持面近傍の領域に設けたことに起因する重大な欠点がある。益々複雑になるムーブメントを開発する一方でこのようなムーブメントを収容するケースに収まる大きさを維持しようとしている高度な時計学に現在求められているものと、このように大きな部分とは相容れない可能性がある。
【０００７】
米国特許第3,796,041号（スミス  インダストリーズ  リミテッド（Smiths Industries Limited））明細書にも、２つの部分に分かれたリセットハンマーを有するクロノグラフムーブメントが記載されている。その第一部分は軸支回動可能に地板に取り付けられ、ケース外側に設けられた制御部材から制御されるレバーによって作動させることができる。この第一部分はピンを介して第二部分を支持しており、該ピンを中心として前記２つの部分が相互に自由に回動することができる。さらに、前記第二部分と連結させて、且つ、第一部分に穿たれた孔に嵌合させて、補助ピンが設けられており、これら２つの部分の相対的な回転の振幅を制限しつつ２つの部材の間に一定の遊びを与える。しかしながら、記載してきた構造では、前記２つの部分がその接続を可能にするために少なくとも部分的に重なり合わなくてはならないという事実故に、その厚さがかなり大きくなる。さらに、重なり合いによる厚さが、前記２つのリセットハートカムと協働する支持面に非常に近い位置にあるので、設計者にとってはクロノグラフカウンタを配置する際の制約事項となる。
【０００８】
【特許文献１】米国特許第3,643,422号
【特許文献２】米国特許第3,796,041号
【発明の開示】
【発明が解決しようとする課題】
【０００９】
本発明の第一の目的は、従来技術の公知の構造物を単純化することである。本発明の更なる目的は、従来技術による装置の信頼性を向上させ、特に、時間が経過した後及び着用時のそれらの挙動を改良することである。
【課題を解決するための手段】
【００１０】
この目的のために、本発明は先に記載したタイプのリセットハンマーに関し、リセットハンマーの２つの部分の内の一方に設けられる、円盤形の部分を有する突出部と、リセットハンマーの２つの部分の内の他方に設けられる、前記突出部の形状とほぼ相補的な形状の凹陥部とによって形成される玉継手を介して、前記リセットハンマーの第一部分の少なくとも１つの構造部分が前記リセットハンマーの第二部分の構造部分に接続される。
【００１１】
玉継手によって、前記リセットハンマーの第二部分が前記第一部分に対してある程度軸支回動することが効果的に可能になり、全ハートカムの同時リセットが促進される。玉継手の特定の構造が、リセットハンマーの第二部分を第一部分と接触させておくのにも効果的に役立っている。このようにすると、ハートカムを解放するために前記第一部分がムーブメントに対して動くときに、リセットハンマーの第二部分を戻すために補助手段を設けることが必要ではなくなる。
【００１２】
好適な一態様によると、玉継手は、リセットハンマーの第二部分の長手方向に沿って配置される２つの支持面の間に設けられる。
【００１３】
さらに、２つの支持面の内の第一の支持面がリセットハンマーの第二部分の第一端部の位置に配設されると好ましく、一方、該第二部分の第二端部は、リセットハンマーの第一部分に設けられた相補的な形状を有する凹部内に嵌合する。この最後の接続によって、リセットハンマーの第一部分と第二部分との間に配設された機械的な接続部の安定性をさらに改良することが可能になる。
【００１４】
本発明を制限しない例として示されている、添付の図面を参照してなされる、以下の詳細な記載を読むことによって、本発明の他の特徴及び効果がより明らかになるであろう。
【発明を実施するための最良の形態】
【００１５】
図１は、本発明の好ましい一態様によるリセットハンマー１を有するクロノグラフムーブメントの単純化した正面図を示している。本発明をよく理解するのに不可欠である、クロノグラフムーブメントの要素のみが図示されている。
【００１６】
以下の記載において、ある部品の位置を「時」に関連されて定義することがある。この部品の位置は、従来技術の文字盤上で、指定された「時」を示す針が占める位置に対応する。
【００１７】
時計のムーブメントの地板２の周縁のわずかな部分がリセット制御領域に図示されており、このリセット制御領域のリセットレバー３が図中に見えている。リセットレバー３は、図中、参照符号Ｒの軸線で示される、ケース外側に設けられた制御部材（図示せず）によって作動される。より詳しくは、リセットレバー３は、地板２との間に玉継手を有し、ケース外側に設けられた制御部材に及ぼされた力に応答して地板２に対して回転運動をする。この玉継手は、地板に設けられた、対応する大きさを有する孔（図示せず）に圧着することのできる軸又は支柱４によって与えられる。或いは、地板２にねじ込まれた段付き螺子を使用して、該段付き螺子の段によって、その回転軸の方向にリセットレバー３をしっかりと維持することもできる。
【００１８】
設定部材又は巻真（図示せず）の位置も参照符号Ｔの軸線で示されている。本発明を制限しない情報として、時計のムーブメントをケース内に取り付けてタイムピースを組み立てる場合は、軸Ｒは４時の位置に合わせ、軸Ｔは３時の位置に合わせることを知っておいてもよい。
【００１９】
リセットハンマー１のハンマーレバー５はその基部６で、リセットレバー３と連結して取り付けられており、ケース外側に設けられたリセット制御部材への作用に応答して動かされるようになっている。
【００２０】
ハンマーレバー５の動きの性質は本発明には直接関係せず、本発明の実施に合ったいかなるタイプのものであってもよい。このように、この態様においては、ハンマーレバー５は、リセットレバー３と同様に、時計のムーブメントの地板２に対して軸支回動することができるように配設される。特に、図１において、ハンマーレバー５の基部６には開口部７が設けられており、この中には支柱４が配置されている。この支柱は、また、リセットハンマー１の回転軸となる。
【００２１】
本発明の枠組みから出ることなく、リセットレバー３の回転をハンマーレバー５に確実に伝えることのできる適切な手段を用いて、２本のレバー３と５とを一体化ことができる。例えば、ハンマーレバー５の基部６を、リセットレバー３の該基部が当接する面に溶接することができるし、或いは、リセットレバー３とリセットハンマー１とを１つの部材で形成することもできる。
【００２２】
２本のレバー３と５とは、相互に独立した２つの部材の形態で作り、前記支柱４を中心として軸支回動するように配置することもできる。この場合、ケース外側に設けられた制御部材の作動に応答して前記両方のレバーに同時に作用してそれらを同時に回動させるように配設されたリセット装置の一要素を設けることもできる。
【００２３】
本発明の好適な一変形例によると、図１に示されているように、リセットレバー３の、前記ハンマーレバー５の基部６に重なる領域に設けられた孔（参照符号は付けられていない）には、ピン８が圧着されている。基部６にも、このピン８を収容するように適合させた孔が設けられており、これによって、ハンマーレバー５とリセットレバー３との回転動を連結させている。
【００２４】
リセットレバー３は、前記支柱４から離れた位置に補助ピン９を有しており、該補助ピンは、リセットレバー３に力を及ぼすバネ（図示せず）の端部の支持体となるように設計されている。このバネの力は参照符号Ｆの矢印によって示されており、リセットレバー３をその固定位置、即ち、図１に示されている位置に維持しようとする。従来からこのようなバネに設けられているノッチをこのバネにも設けて、リセット制御の動きを速くするのが好ましい。
【００２５】
ハンマーレバー５は、まず、その基部６から、リセットレバー３の長手方向に実質的に垂直な方向に、換言すれば、軸線Ｒの方向に延在する。ハンマーレバー５は、次いで、その長手方向に向かって、屈曲部を有して長手方向に延在する第一主要部10と、ハンマーレバー５の周縁部で時計のムーブメントの中心に向かう突起部11を形成する分岐部とに分かれる分岐を有する。第一主要部10と突起部11との接続部は、実質的に円弧状の凹部12をなす。この第一主要部10と、突起部11と、凹部12との繋がりによってリップが形成される。このリップの機能については後で説明する。
【００２６】
第一主要部10は小さな丸い端部13で終わり、その近傍には、時計のムーブメントの中心部に向いた突出部14が配置される。この突出部14は、第一の実質的に直線的な部分15と、それに続く略円盤形の部分16とを有し、略円盤形の部分の直径は第一の部分15の幅よりも大きい。
【００２７】
リセットハンマー１は、前記第一部分、即ちハンマーレバー５に部分的に収容された第二主要部17を有する。リセットハンマー１の第二主要部17は、支持面18及び19、具体的には、図に概略的に示されている態様における２つの支持面を有しており、これら２つの支持面は、クロノグラフカウンタのリセット操作中にハートカム20及び21とそれぞれ接触して動くように設計されている。
【００２８】
リセットハンマーの第二主要部17は略長形であり、舌の形状をした第一端部22を有している。第一端部の大きさは、ハンマーレバー５の第一主要部10と突起部11とによって定められる前記リップの大きさに実質的に対応する。
【００２９】
第一端部22から、前記リセットハンマーの第二主要部17の長手方向に向かって、第一の平坦な支持面18があり、その面の垂直線は時計のムーブメントの中心の横側を通っている。支持面18は第一短アーム23の端部に設けられている。さらに、同じ方向に向かって、前記リセットハンマーの第二主要部17は広くなって行き、時計のムーブメントの周縁部の横側に向かって開いている凹陥部24を有している。この凹陥部は、略円形で開口部領域に狭い部分25を有している。凹陥部24の直径は、ハンマーレバー５の突出部14の直径よりもごくわずかに大きい。同様に、前記狭い部分25の幅は突出部の前記第一の部分15の幅よりも、ごくわずかに大きい。
【００３０】
そして、リセットハンマー１の第二主要部17の幅は、凹陥部24領域の幅に比べて小さくなり、第二の平坦な支持面19を有する第二ハンマーアーム26で第二主要部は終わる。この支持面の垂直線も時計のムーブメントの中心の横側を通っている。
【００３１】
図１において、舌形端部22がハンマーレバー５のリップの内側に配置されている一方で、凹陥部24が突出部14と協働して、リセットハンマーの第一主要部と第二主要部との間に機械的な玉継手を形成していることが理解される。
【００３２】
ハートカム20及び21は従来技術によるものであり、当業者に特別な困難性を与えるものではないので、概略的に示されている。これらのハートカムの各々は、計測された時間単位を示す針を有するクロノグラフのカウンタの可動部材（図を分かり易くするために図示されていない）に取り付けられている。
【００３３】
また、計測された秒を示す針27と、計測された分を示す針28とは、図において線で示されている。針27と針28とは、図１においては、クロノグラフ機構が作動中である状況に対応する位置にそれぞれある。この状態においては、リセットハンマー１は持ち上げられ、クロノグラフ可動部材のハートカム20、21はそれぞれの回転軸29と30とを中心として回転することができる。
【００３４】
秒計測可動部材は、通常、時計のムーブメントの中心に配置され、計測された秒の表示は、クロノグラフ文字盤の中央にある大きな秒針によってなされることに留意されたい。図示されている態様ではこのような配置が採用され、回転軸29は時計のムーブメントの中心を通っている。
【００３５】
本発明の枠組みから出ることなく、様々な方法で、その回転軸の方向に平行である方向にリセットレバー３とリセットハンマー１とを維持することができることにも、さらに留意されたい。参考までに記載すると、特に、前記リセットハンマーの基部６とリセットレバー３とを覆う小板（図示せず）を地板に螺子留めすることによって、それらを軸方向に確実に維持することができる。この場合、リセットレバー３のピン９が、地板の横側にあってリセットレバー３の安定性に寄与する前記小板の表面に出るような長さを有するようにすることができる。前記リセットハンマーが、香箱バーの領域とクロノグラフバーの領域との間に少なくとも部分的に挿入されるように、時計のムーブメントも配置されると好ましい。結果として、リセットハンマー１は、その中間平面に繋がる平面内でのみ自由に動くことができる。
【００３６】
操作的な視点からすると、従来の方法で、即ち、通常、２時の位置に設けられている制御部材（図示せず）によって、クロノグラフ機能が停止されると、クロノグラフ可動部材はいずれの位置（例えば、図１の位置でもよい）にあっても動かないように保持される。クロノグラフの停止機能を実施するためには、特に、計測時間を読むことが可能であるようにクロノグラフ可動部材を固定するためには、本発明の枠組みから出ることなく、ブレーキシステム、又は当業者によって知られている他のあらゆる適切なシステムを用いることができる。
【００３７】
この状態からリセットレバー３が作動されると、支持面18及び19が動いてハートカム20及び21と接触するまでリセットハンマー１が押し下げられる。先に記載したように、リセット動作中のリセットハンマー１の動きが十分に速いように、リセットレバー３のコイルバネにノッチを設けておくのが好ましい。
【００３８】
計測時間カウンタが１つもゼロを指していないので、支持面18及び19がハートカム20及び21とそれぞれ接触するとき、最初の接触は各々のハートカム周縁部の湾曲部31、32との間でなされることになる。２つのハートカムの各々が受けるリセットハンマーによる圧力によって、リセットハンマーの各当接面が対応するハートカムの周縁部の凹面33、34と接触するまで、ハートカムは回転する。
【００３９】
この後の方の状況、即ち、リセット動作が完了した状態が図２に示されている。各ハートカムの凹面33、34は、公知の方法で、ゼロ位置に関して２つのハートカムの位置の正確さと安定性とを改良することのできる形状を有している。
【００４０】
リセット操作が行われたとき、ハートカム20と21とのそれぞれの配向の前に、支持面18と19とは対応するハートカムと必ずしも同時に接触する必要はない。本発明のリセットハンマー１の構造によると、好適であることに、前記玉継手の位置で、該リセットハンマーの第二主要部17がハンマーレバー５に対して軸支回動することができる。さらに、このタイプの回動は、リセットハンマーの第二主要部17の舌形端部22とリセットレバー５の凹部12の周囲に形成されたリップとの間にわずかな遊びが設けられていることによって可能になっている。
【００４１】
第二主要部のこのような軸支回動によって、ハートカムとの接触を行う間に遅れを示す支持面が回動駆動されて、対応するハートカムにその支持面をより迅速に近付けることができる。リセットハンマーの第二主要部の回動によって、同時に、対応するハートカムに先に接触している支持面によって及ぼされる力が低下し、その一方で、回動の速度がごくわずかに低下する。最初に遅れていた支持面が対応するハートカムに接触すると、リセットハンマーの第二主要部17が反対方向に回動して、第一の支持面と第二の支持面とによってハートカム20と21とに及ぼされるそれぞれの力を再均衡させることができる。
【００４２】
玉継手の部品要素を正確に調節することによって、この継手の回動の振幅が突出部14の第一の部分15とリセットハンマーの第二主要部の狭い部分25との相対的な大きさによって直接的に決定されると好ましい。前記凹陥部24の縁部は、このようにして、突出部の第一の部分15の回動を制限する受け部を形成する。
【００４３】
さらに、前記玉継手とリップとの間に位置する、リセットレバー５の領域35とリセットハンマーの第二主要部17の領域36とは相補的な形状を有していることが、図面より理解される。玉継手の部品要素の各々の大きさは、領域35と領域36との間にわずかな遊びがあるように調節される。このようにして、本発明の枠組みから出ることなく、また、直前の段落に記載の問題解決手段に代わるもの、又は補足するものとして、ハンマーレバー５に対して第二主要部17が回動している間に、領域36の受け部の役割を領域35が少なくとも部分的に満たすように、当業者であればこの遊びの値を定めることができる。
【００４４】
動的な観点からは、リセットハンマーの第二主要部17の回動によって、２つの支持面18と19との移動を均衡し、両計測時間カウンタの帰零を同期化する。
【００４５】
逆に、図２に示されている状況からクロノグラフ機能が作動された場合のように、リセットハンマーが持ち上げられると、この玉継手の特別な形状故に、バネの効果によって、リセットレバー５からリセットハンマーの第二主要部17に及ぼされる引張力が良好に分散される。このようにして、２つのハートカム20と21とは同時に解放される。
【００４６】
当業者、即ち、ここでは時計のムーブメントの製造者であれば、本発明の枠組みから出ることなく、前記効果を得るために、リセットハンマーのリセットレバー５の形状と第二主要部17の形状とを製造中に必要に応じて合わせることには格別な困難性はない。
【００４７】
本発明のリセットハンマーの構造では、非常に単純であることに加えて、特に、回転軸４から最も離れた支持面19近傍においてその大きさが小さくなっている。リセットハンマーのこの部分は時計のムーブメントの中心部領域に位置しているので、この特長は特に効果的である。実際、ムーブメントのその位置に他の部品を配置するためにリセットハンマーの部品の嵩について考慮しなければならない時計の設計者にとっては、この領域におけるリセットハンマーがかなり嵩高いと問題になることがある。
【００４８】
言うまでもなく、ここまでの記載は、特に、リセットハンマー１のレバー部分５と第二主要部17とについて図示され記載された形態に関して、本発明を制限しない一例として記載されている好ましい態様に対応する。実際、前記態様の代わりに、突出部14と凹陥部24とのそれぞれの位置を逆にする、即ち、突出部を第二主要部17に設け、凹陥部をハンマーレバー５に設けることもできる。
【００４９】
或いは、玉継手を設ける位置は支柱４から長手方向にリセットハンマーを全体に亘り、第一の支持面18より支柱側、或いは、第二の支持面19よりも支柱から離れた位置に設けることもできる。勿論、これら２つの場合のいずれにおいても、製造中に、結果として、リセットハンマーの第一部分と第二部分とのそれぞれの形状を玉継手の位置に応じて変更する必要があるが、当業者であれば格別の困難に遭遇することなく行うことができる。
【００５０】
但し、これら最後の２つの変形例は、前記最初の２つの変形例に匹敵する構造的単純さを有してはいるものの、第二支持面19近傍の嵩という観点から、最初の変形例の方がかなり効果的であることに留意されたい。
【００５１】
また、リセットハンマーを作動させる手段は、本発明の枠組みから外れることなく、本発明に適したいかなる方法でも作ることができる。
【図面の簡単な説明】
【００５２】
【図１】本発明の好ましい一態様によるクロノグラフムーブメントのリセット部材の単純化した正面図を示している。この図において、リセットハンマーは固定位置にある。
【図２】図１に示された図に類似する図であり、この図において、リセットハンマーは２つのクロノグラフカウンタをリセットしている。
【図１】
2009517645.tif 000003
【図２】
2009517645.tif 000004
【国際調査報告】
2009517645.tif 000005
2009517645.tif 000006
2009517645.tif 000007
2009517645.tif 000008